(57)【特許請求の範囲】
【請求項１】
少なくとも表面に配送情報記入部を有する伝票と他の紙片とに分離可能に区画された伝票用紙と、前記伝票用紙の下面に形成された離型処理層と、前記離型処理層の下面に形成された透明性を有する熱可塑性樹脂層とを備え、前記伝票及び他の紙片とはそれぞれ前記熱可塑性樹脂層と剥離可能に貼付され、さらに、前記熱可塑性樹脂層の下面に設けられた透明性を有する粘着剤層と、前記粘着剤層に下面に剥離可能に貼付された剥離紙とを備え、前記伝票又は紙片のいずれか一方を分離して他方に積層可能にしたことを特徴とする配送伝票。
【発明の詳細な説明】
【０００１】
【発明の属する技術分野】
本発明は、宅配荷物等の配送品に貼付して使用する配送伝票に関するものである。特に、ノンインパクトプリンタを用いて印字する２つ以上の伝票を有する伝票用紙からなる配送伝票を、配送品へ貼り付ける際に、貼り付け面積が１つの伝票の面積ですむ配送伝票に関する。
【０００２】
【従来の技術】
従来、例えば通信販売等において、商品の購入申し込み者へ商品を配送する場合に、配送品に貼付することのできる配送伝票を用いることが一般的に行われている。
これらの配送伝票は、特にお届け先の住所や氏名等を手書きにより記入するのに適する複写可能な複数枚の伝票構成からなる配送伝票と、お届け先の住所や氏名等の記入事項をノンインパクトプリンタにより印字出力するのに適する配送伝票等がある。
ノンインパクトプリンタ用の配送伝票としては、１枚の伝票用紙に切り込みを入れ、各伝票紙片に分割可能に構成してなる配送伝票が既に知られている。
【０００３】
上記の１枚の配送伝票に関する従来例としては、図１９，図２０に示すように、表面に配送情報記入部３１ａを有する第１の伝票である貼付票３２ａと、表面に配送情報記入部３１ｂと受領票３１ｃとを有する第２の伝票である受領票３２ｂとが切り込み部３３を境にして縦方向に連接された伝票用紙３２であって、前記伝票用紙３２の裏面側には、伝票用紙３２の貼付票３２ａや受領票３２ｂを配送品に貼付した後に、必要に応じて剥離することができるように樹脂層の界面の間で剥離可能な第１の樹脂層３４と第２の樹脂層３５が形成され、そして外側に形成された第２の樹脂層３５の表面に粘着剤３６が塗布されると共に、前記粘着剤３６を剥離紙３７で被覆した構成の配送伝票３０が既に知られている。
【０００４】
そして、上記従来の配送伝票３０を用いて、配送品３８に伝票用紙３２の貼付票３２ａと受領票３２ｂを貼付した状態を図２１に示すが、伝票用紙３２が１枚であるために、配送品３８に貼付する面積も伝票用紙３２の面積分が貼付面積となる。
しかしながら、伝票用紙３２は配送処理においては必要であるが、配送品の受け取り人にとっては伝票用紙３２は不必要なものであり、配送された後に配送品を第三者へプレゼント品として用いる場合等には、特に伝票用紙３２を配送品３８からその貼付表面を汚すことなく、綺麗な状態のままはぎ取る必要があると共に、伝票用紙３２が貼付されていた事ができるだけわからない状態にしておく方がよいものである。
【０００５】
上記従来の伝票用紙３２は、たとえ伝票用紙３２を第１の樹脂層３４と第２の樹脂層３５の間の樹脂層の界面の間で剥離して、伝票用紙３２の全部を剥離したとしても伝票用紙３２の面積分の第２の樹脂層３５が配送品３８に残るために、見掛け上好ましくない。
【０００６】
また、配送品３８自体の大きさが小さいものの場合には、伝票用紙３２の貼付票３２ａと受領票３２ｂとを貼付するだけの面積が足りないこともあり、その場合には、配送品３８に台紙を付けて、その台紙表面に伝票用紙３２の貼付票３２ａと受領票３２ｂとを貼付するなどしなければならず、余計な手間や処理時間がかかるという不便がある。
【０００７】
【発明が解決しようとする課題】
本発明は、ノンインパクトプリンタを用いて配送情報を印字するため伝票を有する伝票用紙を配送品に貼付する場合に、配送後にできるだけこれらの伝票が貼付されていたことの痕跡を配送品に残さないようにすると共に、配送品の大きさが小さいものの場合でも、従来のように伝票用紙を台紙等に貼り付けることなく、できるだけ配送品に伝票を貼付することのできるように、伝票の貼付面積をできるだけ小さな面積ですむようにした配送伝票を提供するものである。
【０００８】
【課題を解決するための手段】
上記の目的を達成するために、本発明の配送伝票は、少なくとも表面に配送情報記入部を有する伝票と他の紙片とに分離可能に区画された伝票用紙と、前記伝票用紙の下面に形成された離型処理層と、前記離型処理層の下面に形成された透明性を有する熱可塑性樹脂層とを備え、前記伝票及び他の紙片とはそれぞれ前記熱可塑性樹脂層と剥離可能に貼付され、さらに、前記熱可塑性樹脂層の下面に設けられた透明性を有する粘着剤層と、前記粘着剤層に下面に剥離可能に貼付された剥離紙とを備え、前記伝票又は紙片のいずれか一方を分離して他方に積層可能にしたことを特徴とするものである。
【００１０】
【発明の実施の形態】
以下、本発明の配送伝票の実施の形態について、図面に基づき詳細に説明する。
ここにおいて、図１は本発明の配送伝票の第１実施形態の平面図、図２は図１のＡ−Ａ線断面図、図３は第１実施形態の配送伝票を配送品に貼付した状態の平面図、図４は図３のＢ−Ｂ線断面図、図５は第１実施形態の配送伝票を配送品に貼付した後、配達票を剥離した状態の平面図、図６は図５のＣ−Ｃ線断面図、図７は第１実施形態の配送伝票を配送品に貼付した後、伝票である配達票と他の紙片である貼付票とを剥離した状態の平面図、図８は図７のＤ−Ｄ線断面図、図９は本発明の配送伝票の第２実施形態の平面図、図１０は図９のＥ−Ｅ線断面図、図１１は第２実施形態の配送伝票を配送品に貼付した状態の平面図、図１２は図１１のＦ−Ｆ線断面図、図１３は第２実施形態の配送伝票を配送品に貼付した後、伝票である配達票を剥離した状態の平面図、図１４は図１３のＧ−Ｇ線断面図、図１５は第２実施形態の配送伝票を配送品に貼付した後、伝票である配達票と他の第２の紙片である納品票とを剥離した状態の平面図、図１６は図１５のＨ−Ｈ線断面図、図１７は第２実施形態の配送伝票を配送品に貼付した後、伝票である配達票と他の第２の紙片である納品票と他の第１の紙片である貼付票とを剥離した状態の平面図、図１８は図１７のＩ−Ｉ線断面図である。
【００１１】
本発明の配送伝票の第１実施形態を図１〜図８に基づいて説明する。
第１実施形態の配送伝票１は、表面にお届け先の住所及び氏名等の配送情報記入部２ａと受領印欄２ｂとを有する伝票である配達票３ａと、また表面に同じく配送情報記入部２ａを有する他の紙片である受領票３ｂとが、その各票の間に形成された切り込み部４ａを境にして連接された伝票用紙３からなる。
また、配送伝票１を連続状態でノンインパクトプリンタに掛けて、伝票である配達票３ａと他の紙片である受領票３ｂのそれぞれの配送情報記入部２ａに必要な印字を行うことができるように、伝票用紙３の両側部には、用紙送り用のマージナルパンチ５がそれぞれ形成され、また前記マージナルパンチ５が形成された用紙部分を切り離すことができるように、伝票用紙３の両側のマージナルパンチ５形成部の内側に、切り込み部４ｂ，４ｃがそれぞれ形成されている。
【００１２】
そして、伝票用紙３の裏面には、透明性を有する熱可塑性樹脂層６が伝票用紙３の裏面と剥離可能に疑似接着されている。
また、熱可塑性樹脂層６の下面には、粘着剤層７が設けられると共に剥離紙８で被覆されている。
【００１３】
熱可塑性樹脂層６としては、ポリスチレン、ポリビニルブチラール、酢酸ビニル共重合体、エチレン−酢酸ビニル共重合体、塩化ビニル−酢酸ビニル共重合体、ポリエチレン、ポリプロピレン、ポリブチレン等のオレフィン系（共）重合体、アクリル樹脂、セルロース樹脂等の熱可塑性樹脂およびこれらの混合物からなるフィルムが用いられる。
これらの熱可塑性樹脂層６は、好ましくは７０〜２００℃、特に好ましくは９０〜１４０℃の軟化温度を有する。
また、熱可塑性樹脂層６の厚さは、特に限定されないが、通常３〜５０μｍ、好ましくは５〜３０μｍ程度である。
【００１４】
また、伝票用紙３の裏面側、特に伝票である配達票３ａと他の紙片である貼付票３ｂの裏面側には、粘着剤層７により伝票用紙３を配送品に貼付した後に、伝票である配達票３ａまたは他の紙片である貼付票３ｂを剥がすことで、伝票である配達票３ａや他の紙片である貼付票３ｂの裏面と熱可塑性樹脂層６との間で剥離して分離することができるように、熱可塑性樹脂層６との間に離型処理層９を設けている。
離型処理層９は、少なくとも伝票用紙３の伝票である配達票３ａに設ければよく、また配送伝票の使い方に応じて他の紙片である貼付票３ｂも配送品から剥離させて使用する場合には、他の紙片である貼付票３ｂの裏面にも離型処理層９を設ける。
【００１５】
離型処理層９は、離型剤を伝票用紙３の裏面側に塗布して形成するが、これらの離型剤としては、例えばシリコーン系離型剤、ポリブタジエンゴム系離型剤、スチレン−ポリブタジエン共重合体系離型剤、アルキド−シリコーン共重合体系離型剤などが用いられる。
離型処理層９の厚さは、特に限定はされないが、通常０．１〜１０μｍ、好ましくは０．３〜３μｍ程度である。
そして、離型処理層９と熱可塑性樹脂層６とは、疑似接着されていて分離することが可能な状態で一時的に接着されている。
【００１６】
次に、第１実施形態の配送伝票を使用して、配送品を配送処理する場合について説明する。
まず、図１の状態の配送伝票をノンインパクトプリンタに掛けて、伝票である配達票３ａと他の紙片である貼付票３ｂのそれぞれの配送情報記入部２ａにお届け先の住所，電話番号，氏名等を印字する。
次に、図３，４に示すように、他の紙片である貼付票３ｂを剥離紙８から剥離して配送品１０の所定の位置に貼付した後、伝票である配達票３ａを剥離紙８から剥離して他の紙片である貼付票３ｂの上面に貼付する。
他の紙片である貼付票３ｂの上面に伝票である配達票３ａを重ねて貼付しているので、外見上は配送品１０には伝票である配達票３ａだけが貼付してあるように見え、他の紙片である貼付票３ｂの表面の記載事項は見ることができない。
【００１７】
図３，４の状態から配送する際に、配送人が伝票である配達票３ａの裏面に設けた離型処理層９と熱可塑性樹脂層６との間で分離して、伝票である配達票３ａをはぎ取り、配送品１０を受け取り人に届けた後、伝票である配達票３ａの受領印欄２ｂに受け取り人の受領印を押印してもらう。
伝票である配達票３ａを離型処理層９と共にはぎ取ると、図５，６に示すように、他の紙片である貼付票３ｂの表面の記載事項が透明性を有する熱可塑性樹脂層６を通して目視することができる。
【００１８】
そして、配送品１０の受け取り人が、他の紙片である貼付票３ｂを剥離したいと望む場合には、図７，８に示すように、他の紙片である貼付票３ｂの裏面に設けた離型処理層９と熱可塑性樹脂層６との間で分離して、他の紙片である貼付票３ｂをはぎ取り、配送品１０には透明性を有する熱可塑性樹脂層６と粘着剤層７だけが残った状態とすることができる。
したがって、熱可塑性樹脂層６と粘着剤層７はいずれも透明性を有しているので、伝票が貼付された状態と比べ外観上の違和感が無く、受け取り人側における配送品１０のその後の様々な用い方に適応することができる。
【００１９】
次に、本発明の配送伝票の第２実施形態を図９〜図１８に基づいて説明する。第２実施形態の配送伝票１は、表面にお届け先の住所及び氏名等の配送情報記入部２ａと受領印欄２ｂとを有する伝票である配達票３ｃと、また表面に同じく配送情報記入部２ａを有する他の第２の紙片である納品書３ｄと、また表面に同じく配送情報記入部２ａを有する他の第１の紙片である貼付票３ｅとが、その各票の間に形成された切り込み部４ｄ，４ｅを境にして連接された伝票用紙３からなる。
【００２０】
また、配送伝票１を連続状態でノンインパクトプリンタに掛けて配送情報記入部２ａに必要な印字を行うことができるように、伝票用紙３の両側部には、用紙送り用のマージナルパンチ５がそれぞれ形成され、また前記マージナルパンチ５が形成された用紙部分を切り離すことができるように、伝票用紙３の両側のマージナルパンチ５の形成部の内側に、切り込み部４ｆ，４ｇがそれぞれ形成されている。
【００２１】
そして、伝票用紙３の裏面には、透明性を有する熱可塑性樹脂層６が伝票用紙３の裏面と剥離可能に疑似接着されている。
また、熱可塑性樹脂層６の下面には、粘着剤層７が設けられると共に剥離紙８で被覆されている。
【００２２】
また、伝票用紙３の裏面側、特に伝票である配達票３ｃと他の第２の紙片である納品書３ｄと他の第１の紙片である貼付票３ｅの裏面側には、粘着剤層７により伝票用紙３を配送品の包装表面に貼付した後に、伝票である配達票３ｃと他の第２の紙片である納品書３ｄと他の第１の紙片である貼付票３ｅを引っ張ることで、熱可塑性樹脂層６から剥離して分離することができるように、伝票用紙３の裏面に離型処理層９が設けられている。
離型処理層９は、少なくとも伝票である配達票３ｃと他の第２の紙片である納品書３ｄの裏面に設ければよく、また配送伝票の使い方に応じて他の第１の紙片である貼付票３ｅも配送品から剥離させて使用する場合には、他の第１の紙片である貼付票３ｅの裏面にも離型処理層９を設ける。
【００２３】
次に、第２実施形態の配送伝票を使用して、配送品を配送処理する場合に付いて説明する。
まず、図９の状態の配送伝票をノンインパクトプリンタに掛けて、伝票である配達票３ｃと、他の第２の紙片である納品書３ｄ、他の第１の紙片である貼付票３ｅのそれぞれの配送情報記入部２ａにお届け先の住所，電話番号，氏名等を印字する。
次に、図１１，１２に示すように、他の第１の紙片である貼付票３ｅを剥離紙８から剥離して配送品１０の所定の位置に貼付した後、他の第２の紙片である納品書３ｄを剥離紙８から剥離して他の第１の紙片である貼付票３ｅの上面に貼付し、最後に伝票である配達票３ｃを剥離紙８から剥離して他の第２の紙片である納品書３ｄの上面に貼付する。
伝票である配達票３ｃを一番上に重ねて貼付しているので、外見上は配送品１０には伝票である配達票３ｃだけが貼付してあるように見え、他の第１の紙片である貼付票３ｅと他の第２の紙片である納品書３ｄの表面の記載事項は見ることができない。
【００２４】
図１１，１２の状態から配送する際に、配送人が伝票である配達票３ｃの裏面に設けた離型処理層９と熱可塑性樹脂層６との間で分離して、伝票である配達票３ｃをはぎ取り、配送品１０を受け取り人に届けた後、伝票である配達票３ｃの受領印欄２ｂに受け取り人の受領印を押印してもらう。
伝票である配達票３ａを離型処理層９と共にはぎ取ると、図１３，１４に示すように、他の第１の紙片である貼付票３ｄの表面の記載事項が透明性を有する熱可塑性樹脂層６を通して目視することができる。
そして、次に他の第２の紙片である納品書３ｄも離型処理層９と共に熱可塑性樹脂層６から剥離して分離した後、受け取り人に渡す。
他の第２の紙片である納品書３ｄを剥離すると、その下に貼付した他の第１の紙片である貼付票３ｅの表面の記載事項が透明性を有する熱可塑性樹脂層６を通して目視することができる。
【００２５】
そして、配送品１０の受け取り人が、他の第１の紙片である貼付票３ｅを剥離したいと望む場合には、図１７，１８に示すように、他の第１の紙片である貼付票３ｅの裏面に設けた離型処理層９と熱可塑性樹脂層６との間で分離して、他の第１の紙片である貼付票３ｅをはぎ取り、配送品１０には透明性を有する熱可塑性樹脂層６と粘着剤層７だけが残った状態とすることができる。
したがって、熱可塑性樹脂層６と粘着剤層７はいずれも透明性を有しているので、伝票が貼付された状態と比べ外観上の違和感が無く、受け取り人側における配送品１０のその後の様々な用い方に適応することができる。
【００２６】
【発明の効果】
以上のように、本発明の配送伝票は、配送品自体の大きさが小さいものの場合でも、従来のように伝票用紙を台紙等に貼り付けることなく、できるだけ配送品に伝票を貼付することのできるものであり、また伝票用紙を配送品に貼付した場合にも、配送後にできるだけこれらの伝票が貼付されていたことの痕跡を配送品に残さないようにすることができるものである。
【００２７】
【図面の簡単な説明】
【図１】本発明の配送伝票の第１実施形態の平面図である。
【図２】図１のＡ−Ａ線断面図である。
【図３】第１実施形態の配送伝票を配送品に貼付した状態の平面図である。
【図４】図３のＢ−Ｂ線断面図である。
【図５】第１実施形態の配送伝票を配送品に貼付した後、伝票である配達票を剥離した状態の平面図である。
【図６】図５のＣ−Ｃ線断面図である。
【図７】第１実施形態の配送伝票を配送品に貼付した後、伝票である配達票と他の紙片である貼付票とを剥離した状態の平面図である。
【図８】図７のＤ−Ｄ線断面図である。
【図９】本発明の配送伝票の第２実施形態の平面図である。
【図１０】図９のＥ−Ｅ線断面図である。
【図１１】第２実施形態の配送伝票を配送品に貼付した状態の平面図である。
【図１２】図１１のＦ−Ｆ線断面図である。
【図１３】第２実施形態の配送伝票を配送品に貼付した後、伝票である配達票を剥離した状態の平面図である。
【図１４】図１３のＧ−Ｇ線断面図である。
【図１５】第２実施形態の配送伝票を配送品に貼付した後、伝票である配達票と他の第２の紙片である納品票とを剥離した状態の平面図である。
【図１６】図１５のＨ−Ｈ線断面図である。
【図１７】第２実施形態の配送伝票を配送品に貼付した後、伝票である配達票と他の第２の紙片である納品票と他の第１の紙片である貼付票とを剥離した状態の平面図である。
【図１８】図１７のＩ−Ｉ線断面図である。
【図１９】従来のノンインパクトプリンタ用の配送伝票である。
【図２０】図１９のＪ−Ｊ線断面図である。
【図２１】従来のノンインパクトプリンタ用の配送伝票を配送品に貼付した状態を示す斜視図である。
【符号の説明】
１  配送伝票
２ａ，３１ａ，３１ｂ  配送情報記入部
２ｂ，３１ｃ  受領印欄
３  伝票用紙
３ａ，３ｃ  伝票である配達票
３ｂ  他の紙片である貼付票
３ｅ  他の第１の紙片である貼付票
３ｄ  他の第２の紙片である納品書
４ａ，４ｂ，４ｃ，４ｄ，４ｅ，４ｆ，４ｇ，３３  切り込み部
５  マージナルパンチ
６  熱可塑性樹脂層
７，３６  粘着剤層
８，３７  剥離紙
９  剥型層
１０  配送品
３０  従来の配送伝票
３２ａ  貼付票
３２ｂ  配達票
３４  第１の樹脂層
３５  第２の樹脂層
【図１】
0004170498.tif 000002
【図２】
0004170498.tif 000003
【図３】
0004170498.tif 000004
【図４】
0004170498.tif 000005
【図５】
0004170498.tif 000006
【図６】
0004170498.tif 000007
【図７】
0004170498.tif 000008
【図８】
0004170498.tif 000009
【図９】
0004170498.tif 000010
【図１０】
0004170498.tif 000011
【図１１】
0004170498.tif 000012
【図１２】
0004170498.tif 000013
【図１３】
0004170498.tif 000014
【図１４】
0004170498.tif 000015
【図１５】
0004170498.tif 000016
【図１６】
0004170498.tif 000017
【図１７】
0004170498.tif 000018
【図１８】
0004170498.tif 000019
【図１９】
0004170498.tif 000020
【図２０】
0004170498.tif 000021
【図２１】
0004170498.tif 000022